(57)【要約】【課題】  フロントパネルの開口部周縁と、光学フィルタとの表面との擦れにより、光学フィルタ表面に傷付き及び粉が発生する等の不具合を防止するとともに、発生しても視認できない表示装置を提供することを目的とする。【解決手段】  フロントパネル２の内壁面に、光学フィルタ３の前面部周縁を押さえる略コ字状に折曲された前面押さえ部８ｂと、フロントパネル２の内壁面を受ける支持部８ｃと、光学フィルタ３端面を押さえる上面押さえ部８ｄとを備えた前部保持部材８を設ける一方、前記フロントパネル２の開口部周縁へ折曲された折曲部先端が、前記前面押さえ部８ｂ位置よりある一定の距離をおいて前面側に位置するように形成し、折曲部の先端と前記光学フィル３との間に所定の隙間を保持する。【選択図】図３
2007017513.tif 000002
【特許請求の範囲】
【請求項１】
フロントパネルの開口部に光学フィルタを装着してなる薄型表示装置において、
前記フロントパネルの内壁面後部に前記光学フィルタの後面部周縁を押さえる後部保持部材を設ける一方、前記フロントパネルの内壁面前部に、前記光学フィルタの前面部周縁を押さえる前面押さえ部と前記フロントパネルの前記開口部近傍を支持する支持部とを備えた前部保持部材を設け、前記フロントパネルの折曲部先端と前記光学フィルタとの間に所定の隙間を保持するようにしたことを特徴とする薄型表示装置。
【請求項２】
フロントパネルの開口部に光学フィルタを装着してなる薄型表示装置において、
前記フロントパネルの折曲部内周側に切欠きを形成する一方、折曲部外周側を前記光学フィルタの表面に当接させるようにしたことを特徴とする薄型表示装置。
【請求項３】
前記フロントパネルの内壁面に、前記光学フィルタの端面と前面周縁とを押さえるリブを突設してなることを特徴とする請求項２に記載の薄型表示装置。
【発明の詳細な説明】
【技術分野】
【０００１】
本発明は、ＰＤＰ（プラズマディスプレイパネル）、あるいは液晶表示パネル等を用いた薄型表示装置に係わり、より詳細には筐体を構成するフロントパネルの構造に関する。
【背景技術】
【０００２】
ＰＤＰ（プラズマディスプレイパネル）あるいは液晶等を用いた薄型表示装置は、例えば図６（Ａ）の要部断面図で示すように、枠体状に形成され前面に開口部を有するフロントパネル３０と、同フロントパネル３０に取付られる前面が開放された矩形状のリアパネルとで外郭筐体を構成し、その内部に、映像画面を表示するＰＤＰ及び、同ＰＤＰに映像信号を送出する映像信号処理基板等を内蔵し、又、前記ＰＤＰの前面側となるフロントパネル３０の開口部に、色補正やＰＤＰ保護等のための光学フィルタ３１を装着している。
【０００３】
前記光学フィルタ３１には透明なアクリル樹脂、ポリカーボネート等の樹脂材又は通常のガラス、合板ガラス、あるいは熱強化ガラス等が用いられており、前記ＰＤＰからの映像を前面側に透過させるとともに、衝撃力に弱いＰＤＰを外力から保護するようになっている。前記フロントパネル３０は、通常ポリエチレンあるいはポリスチレン等の樹脂材により枠体状に形成され、開口部周縁は内側へ折曲されて、その先端部が前記光学フィルタ３の前面に当接するようになっており、又、内壁面にアルミ押出材からなり断面略Ｌ字状に形成された前面保持部材３３を螺着しており、同前面保持部材３３が前記光学フィルタ３１の前面及び端面を保持するようになっている。又、後面保持部材３２が前記光学フィルタ３１の後面周縁を保持するようになっている。
【０００４】
上記した薄型表示装置に、例えば搬送の際、長時間振動が加わると、前記フロントパネル３０の先端部が前記光学フィルタ３１の表面と擦れ、同光学フィルタ３１表面に細かな傷付きが発生したり、傷付きによる粉が開口部周縁に付着して外観性に影響を与えるというような不具合が発生する場合があり、図６（Ｂ）で示すように、前記光学フィルタ３１と前記フロントパネル３０の先端部の間及び前記光学フィルタ３１と前記前面保持部材３３との間に所定の隙間Ｔを設け、何らかの振動が薄型表示装置に加えられたとしても前記フロントパネル３０の先端部が前記光学フィルタ３１の表面と擦れないようにした対策が採られる場合があった。
【０００５】
しかしながら、薄型表示装置の組立の際、前記フロントパネル３０が傾いて取付けられたり、あるいは同フロントパネル３０及び前記光学フィルタ３１に撓みが生じたりすると、図６（Ｃ）で示すように、上記したような擦れ現象が発生することがあり、新たな対策が求められていた。
【発明の開示】
【発明が解決しようとする課題】
【０００６】
本発明は、上記問題点に鑑み、フロントパネルの開口部周縁と、光学フィルタとの表面との擦れにより、光学フィルタ表面に傷付き及び粉が発生する等の不具合を的確に防止できるとともに、仮に発生しても視認できないようにして外観性を維持できる薄型表示装置を提供することを目的とする。
【課題を解決するための手段】
【０００７】
本発明は、上記課題を解決するため、フロントパネルの開口部に光学フィルタを装着してなる薄型表示装置において、前記フロントパネルの内壁面後部に前記光学フィルタの後面部周縁を押さえる後部保持部材を設ける一方、前記フロントパネルの内壁面前部に、前記光学フィルタの前面部周縁を押さえる前面押さえ部と前記フロントパネルの前記開口部近傍を支持する支持部とを備えた前部保持部材を設け、前記フロントパネルの折曲部先端と前記光学フィルタとの間に所定の隙間を保持するようにした構成となっている。又、フロントパネルの開口部に光学フィルタを装着してなる薄型表示装置において、前記フロントパネルの折曲部内周側に切欠きを形成する一方、折曲部外周側を前記光学フィルタの表面に当接させるようにした構成となっている。又、前記フロントパネルの内壁面に、前記光学フィルタの端面と前面周縁とを押さえるリブを突設した構成となっている。
【発明の効果】
【０００８】
本発明によると、フロントパネルの内壁面前部に、光学フィルタの前面部周縁を押さえる略コ字状に折曲された前面押さえ部と、フロントパネルの開口部近傍内壁面を支持する支持部と、光学フィルタ端面を押さえる上面押さえ部とを備えた前部保持部材を設ける一方、前記フロントパネルの開口部周縁へ折曲された折曲部の先端が、前記前面押さえ部位置よりある一定の距離をおいて前面側に位置するように形成し、折曲部先端と前記光学フィルタとの間に所定の隙間を保持することにより、薄型表示装置に長時間の振動あるいは衝撃力が作用したとしても、前記折曲部先端が前記光学フィルタの表面と擦れることがないようにして、光学フィルタ表面への細かな傷付き、あるいは傷付きによる粉の付着等を未然に防止できるようになっている。又、フロントパネルの開口部周縁へ折曲された折曲部内周側に、切欠きを形成する一方、折曲部外周側を光学フィルタの表面に当接させることにより、折曲部外周側が前記光学フィルタの表面と擦れ、細かな傷付き及び粉が発生したとしても、前記切欠きにより視認できないようにして使用者に不快感を与えてしまうというような不具合を生じさせない薄型表示装置とすることができるようになっている。又、フロントパネルの内壁面に光学フィルタの端面と前面周縁を押さえるリブを設けることにより、簡素な構成で擦れ現象を防止するようになっている。
【発明を実施するための最良の形態】
【０００９】
以下、本発明の実施の形態を、添付図面に基づいた実施例として詳細に説明する。
【実施例１】
【００１０】
図１は薄型薄型表示装置の外観斜視図であり、図２はその断面図である。図３は第一実施例を示す要部断面図であり、図４は第二実施例を、図５は第三実施例を夫々示す要部断面図である。
【００１１】
本発明による薄型表示装置１は、図１の外観斜視図で示すように、枠体状に形成された樹脂材からなるフロントパネル２と、前面が開放された箱体状に形成され樹脂材あるいは板金からなるリアパネル４とで外郭筐体を構成し、前記フロントパネル２の開放された前面に板状の透明部材からなる光学フィルタ３を装着している。前記筐体内には、図２の断面図で示すように、電子部品を搭載した映像信号処理基板６と、同映像信号処理基板６から送出された信号を基にプラズマ放電により前記光学フィルタ３に映像を映写するプラズマディスプレイパネル５等が内蔵されている。又、前記リアパネル４の両側面上部には、搬送の際、手掛けとなる把手が装着されている。
【００１２】
前記プラズマディスプレイパネル５は、図示はしていないが、前面ガラスと背面ガラスとを相対向するように配設して構成され、これらガラス間には減圧状態でキセノン等の稀ガスが封入されている。前面ガラスには放電電極、誘電体膜、保護膜等が形成され、背面ガラスには隔壁、蛍光体、アドレス電極等が形成されており、これらにより多数の放電セルを形成し、同放電セルにより任意の蛍光体を選択的に放電発光させることにより、フルカラー画面表示を行えるようになっている。前面ガラスは電極や誘電体膜等を積層形成する際、傷や歪みを生じており、これらにより強度が著しく低下しており、何らかの外力又は衝撃力を受けると破損しやすいため、２〜３ｍｍの間隔をおいて、その前面には発光色補正を兼ねた前記光学フィルタ３が設けられている。
【００１３】
前記光学フィルタ３は透明なアクリル樹脂、ポリカーボネート等の樹脂材又は通常のガラス、合板ガラス、あるいは熱強化ガラス等により形成されており、その裏面には、前記プラズマディスプレイパネル５から放射される電磁波及び近赤外線を遮蔽し、電磁波等のノイズによる他の電子機器への影響を防ぐ電磁波遮蔽フィルムと、前記プラズマディスプレイパネル５からの発光色を補正する色補正フィルムと、外部の蛍光灯などから侵入した外光が前記光学フィルタ３と前記プラズマディスプレイパネル５との隙間内で乱反射する現象を防止する反射防止フィルム等が適宜貼着されるようになっている。
【００１４】
前記フロントパネル２の後部内壁面には複数のリブが突設され、同複数のリブに、断面略Ｌ字状に形成された後部保持部材７が螺着されている。同後部保持部材７は、剛性に優れたアルミ押出材からなり、図示はしていないが、前記フロントパネル２の上辺に沿って位置するトップフレームと、下辺に沿って位置するボトムフレームと、左右一対のサイドフレームと、これらの端部を連結する、板金からなる複数のコーナージョイントとから構成されており、前記フロントパネル２と前記リアパネル４とからなる筐体の剛性を維持するとともに、同後部保持部材７の折曲された先端部が、前記光学フィルタ３の後面部周縁を押さえるようになっている。
【００１５】
前記フロントパネル２の内壁面には、図３の要部断面図で示すように、螺子孔を穿設したボス２ａが上下一対に突設され、又、長手方向に沿って列状に複数設けられている。同ボス２ａには前部保持部材８が螺着されており、同前部保持部材８は前記ボス２ａに対応して上下一対に螺子挿通孔を穿設した平板状の平坦部８ａと、同平坦部８ａに連なる略コ字状に折曲された前面押さえ部８ａと、同前面押さえ部８ａの先端を延出した支持部８ｃと、前記平坦部８ａと直交するように折曲された上面押さえ部８ｂとからなっている。同前部保持部材８は前記後部保持部材７と同様にアルミ押出材から形成されるか、あるいはバネ性を有する板金から形成され、略コ字状に折曲された前記前面押さえ部８ａが、前記光学フィルタ３の後面部周縁を押さえる前記後部保持部材７に対向して、その前面部周縁を押さえるようになっており、又、前記支持部８ｃが前記フロントパネル２の前面内壁を支持するようになっている。更に、前記上面押さえ部８ｂが前記光学フィルタ３の端面を押さえ、その所定位置を保持するようになっている。
【００１６】
前記フロントパネル２の前記開口部周縁へ折曲された折曲部先端は、図３の要部断面図で示すように、前部保持部材８の前記光学フィルタ３に接する前面押さえ部８ａ位置よりある一定の距離をおいて位置するように形成されており、これにより前記折曲部の先端と前記光学フィルタ３の前面との間には、全周縁に渡り、所定の隙間Ｌが常時保持されるようになっている。
【００１７】
前記前面押さえ部８ａの略コ字状に折曲された前面押さえ部８ａが前記光学フィルタ３を後方に押圧して前記フロントパネル２の折曲部先端と前記光学フィルタ３との間に所定の隙間Ｌを常に保持するようにし、又、前記フロントパネル２の開口部近傍内壁面を前記支持部８ｃが支持することにより、薄型表示装置１に何らかの原因により、長時間の振動あるいは衝撃力が作用したとしても、前記フロントパネル２の折曲部先端が前記光学フィルタ３の表面と擦れ、同光学フィルタ３表面に細かな傷付きが発生したり、傷付きによる粉が映像面に付着して視認性が低下し、使用者に不快感を与えてしまうというような不具合を未然に防止できるようになっている。
【実施例２】
【００１８】
次に、第二実施例について説明する。第二実施例は、図４の要部断面図及び拡大図で示すように、第一実施例の構成に加え、フロントパネル９の開口部周縁へ折曲された折曲部９ａに、幅Ｌ２及び深さＬ３の切欠きを開口部周上に渡り形成する一方、前記折曲部９ａの外周側が前記光学フィルタ３の表面に当接し、これを押さえるようになっている。前記折曲部９ａの周上に切欠きを形成したことにより、薄型表示装置１に何らかの原因により、長時間の振動あるいは衝撃力が作用して、仮に前記フロントパネル９の折曲部外周側が前記光学フィルタ３の表面と擦れ現象を生じ、同光学フィルタ３表面に細かな傷付き及び粉が発生したとしても、前記切欠きにより視認されないようにして使用者に不快感を与えてしまうというような不具合を生じさせないようにし、外観性、意匠性を維持することができるようになっている。
【実施例３】
【００１９】
次に、第三実施例について説明する。第三実施例は図５で示すように、フロントパネル１０の内壁面に複数のリブ１０ｂを突設させ、同リブ１０ｂに設けられた切欠きの上辺部材１０ｃが前記光学フィルタ３の端面を押さえ、同切欠きの側辺部１０ｄが前記光学フィルタ３の前面周縁を押さえるようになっており、簡素な構成でフロントパネル１０の折曲部１０ａと光学フィルタ３との擦れ現象を防止するようになっている。
【図面の簡単な説明】
【００２０】
【図１】薄型表示装置を示す外観斜視図である。
【図２】薄型表示装置の断面図である。
【図３】第一実施例による薄型表示装置の要部断面図である。
【図４】第二実施例による薄型表示装置の要部断面図である。
【図５】第三実施例による薄型表示装置の要部断面図である。
【図６】従来の薄型表示装置の断面図である。
【符号の説明】
【００２１】
１  薄型表示装置
２ａ  ボス
２  フロントパネル
３  光学フィルタ
４  リアパネル
５  プラズマディスプレイパネル
６  映像信号処理基板
７  後部保持部材
８  前部保持部材
８ａ  平坦部
８ｂ  前面押さえ部
８ｃ  支持部
８ｄ  上面押さえ部
９  フロントパネル
９ａ  折曲部
１０  フロントパネル
１０ａ  折曲部
１０ｂ  リブ
１０ｃ  上辺部
１０ｄ  側辺部
【図１】
2007017513.tif 000003
【図２】
2007017513.tif 000004
【図３】
2007017513.tif 000005
【図４】
2007017513.tif 000006
【図５】
2007017513.tif 000007
【図６】
2007017513.tif 000008